(57)【要約】【課題】  上下間隔が狭い場所に埋め込み設置したロール紙ホルダに対してロール紙類を容易に枢支セット可能とすると共に、ロール紙の繰り出し切断を確実に実現すること。【解決手段】平面ほぼコ字状のロール紙ホルダ１における左右の各側体２にスライド溝３を対向形成し、これら各溝３に平面ほぼコ字状のスライダ４を前後にスライド可能に係入してその抜け止めを施し、このスライダ４の後部段縁Ｓに弾接係合してその後退使用位置を仮固定する係止弾片９Ａを前記側体の所定個所に設ける一方、スライダ４の前部に前記ロール紙空心受け５を上向き傾動可能に対向枢支し、これら各空心受け５で支持したロール紙６を紙切板７の前辺刃先８でカット可能となした。【選択図】図１
2005287552.tif 000002
【特許請求の範囲】
【請求項１】
平面ほぼコ字状のロール紙ホルダにおける対をなすロール紙空心受けで回転可能に支持したロール紙の上部前寄り外周面に前記ホルダ後部に枢支した紙切板の前辺下面を圧接し、この圧接部を経たロール紙繰り出し部を紙切板の前辺刃先でカットできるロール紙ホルダにおいて、前記ホルダの左右各側体に後部開放のスライド溝を対向形成してこれら各溝に平面ほぼコ字状のスライダを前後方向にスライド可能に係入し、前記スライド溝前辺とスライダ後部とにそれぞれ形成した段縁同士の対接係合でスライダの抜け止めを施し、かつ、スライダの後部段縁に弾接係合してスライダの後退使用位置を仮固定する係止弾片をホルダ後部に設ける一方、スライダの前部には前記ロール紙空心受けを上向き傾動後対向復帰可能に枢支すると共に、これら各空心受けで回転可能に支持したロール紙繰り出し部を紙切板前辺刃先でカット可能となしたスライド式ロール紙ホルダ。
【請求項２】
前記ホルダにおける左右の各側体に後部開放のスライド溝を前下がり傾斜で対向形成し、これら各溝に前記スライダを前後方向にスライド可能に係入してなる請求項１に記載のスライド式ロール紙ホルダ。
【請求項３】
前記紙切板の上向き傾斜状態を保持する保持弾片を紙切板枢支部付近におけるホルダに設けた請求項１または請求項２に記載のスライド式ロール紙ホルダ。
【請求項４】
前記スライダの後退使用位置を仮固定する係止弾片と紙切板の上向き傾斜状態を保持する保持弾片とを一体形成してなる請求項３に記載のスライド式ロール紙ホルダ。
【請求項５】
前記左右のロール紙空心受けをプラスチックで成形し、その対向復帰用ばねをロール紙空心受けの枢軸端に蔓巻きばね状に一体的に突設し、その端部を前記スライダに固定してなる請求項１から請求項４までのいずれか一つに記載のスライド式ロール紙ホルダ。
【発明の詳細な説明】
【技術分野】
【０００１】
この発明は、上下の棚板間や壁面凹所などの上下間隔が狭い場所に埋め込み設置したロール紙ホルダに対してロール紙類を容易に枢支セット可能とすると共に、ロール紙繰り出し切断を確実に実現できるスライド式ロール紙ホルダに関する。
【背景技術】
【０００２】
トイレットなどの壁面に突出固定して使用するタイプの従来のロール紙ホルダとしては、例えば下記の特許文献１や特許文献２に記載のものが周知である。
これら各従来例は、平面ほぼコ字状のロール紙ホルダにおける左右の側体に上向き傾動後対向復帰可能に枢支したロール紙空心受けにロール紙を回転可能に支持し、その上部前寄り外周面に前記ホルダ後部に枢支した紙切板の前辺下面を圧接し、この圧接部を経たロール紙繰り出し部を紙切板の前辺刃先でカットできるロール紙ホルダである。
また、下記の特許文献３に記載のように、平面ほぼコ字状のロール紙ホルダにおける左右の側体にロール紙空心受けを前後水平方向に傾動後対向復帰可能に枢支して備え、これら各空心受けで回転可能に支持したロール紙の上部前寄り外周面に前記ホルダ後部に枢支した紙切板の前辺下面を圧接し、この圧接部を経たロール紙繰り出し部を紙切板の前辺刃先でカットできるロール紙ホルダも周知である。
【特許文献１】特開平８−３２２７５９号公報
【特許文献２】特開平１０−１１７９６６号公報
【特許文献３】特開平９−２１５６２８号公報
【発明の開示】
【発明が解決しようとする課題】
【０００３】
前記各従来例のうち、特許文献１と特許文献２に記載のものは、それぞれトイレなどの壁面に露出突設して使用するタイプのロール紙ホルダであり、そのロール紙空心受けにロール紙をその空心で枢支するには、左右のロール紙空心受け間にその下側空所からロール紙を差し込みつつ、これら各空心受けをその復帰弾力に抗して上向きに傾動させ、ロール紙空心や芯管側縁に左右のロール紙空心受けが対向した時点で、これら各空心受けをその復帰弾力でロール紙空心や芯管内に対向復帰させ係入することで、ロール紙を回転可能に枢支セットするものだから、これら従来のロール紙ホルダを上下の棚板間や壁面凹所などに埋め込み設置して使用する場合には、ホルダの下側と棚板や壁面凹所の上面との間隔を大きく空けてロール紙を差し込む空所を設ける必要があり、棚板や壁面凹所に大きな上下間隔が必要となるので、これら各従来例によるロール紙ホルダは、上下間隔が狭い設置場所には設置できず、スペース的に著しく不利であるし、ロール紙空心受けにロール紙を枢支セットし辛くかつ、見栄えも悪いという本質的、かつ大きな問題点が有る。
【０００４】
また、前記特許文献３のロール紙ホルダにおけるロール紙空心受けにロール紙を枢支するには、左右のロール紙空心受け間にその前側からロール紙を差し込みつつ、これら各空心受けをその復帰弾力に抗して奥向き傾動させ、ロール紙空心や芯管側縁に左右のロール紙空心受けが対向した時点で、これら各空心受けをその復帰弾力でロール紙空心や芯管内に前向きに対向復帰させ係入することで、ロール紙を回転可能に枢支セットできるので、上下の棚板間や壁面凹所などの上下間隔が狭いホルダ設置場所に埋め込み設置しても、ロール紙空心受けにロール紙を手前から枢支セットして使用できるが、この従来例における各ロール紙空心受けは、ホルダ左右の側体に前後方向に傾動後対向復帰可能に対向枢支したものだから、ロール紙の前方繰り出し時やロール紙カット時に上記ロール紙空心受けがロール紙と共に前方へ「フラフラ」と動き易く、不安定でロール紙を繰り出しカットし辛く、使用勝手が誠に悪いという本質的かつ、大きな問題点が有る。
【０００５】
この発明は、上向き傾動後対向復帰可能なロール紙空心受けをロール紙ホルダに対して前後方向にスライド可能に設けることで、上下の棚板間や壁面凹所などの上下間隔が狭い場所に埋め込み設置したロール紙ホルダに対してロール紙類を容易に枢支セット可能とすると共に、ロール紙繰り出しとその切断とを安定確実に実現することを目的とする。
【課題を解決するための手段】
【０００６】
上記本発明の目的は、平面ほぼコ字状のロール紙ホルダにおける対をなすロール紙空心受けで回転可能に支持したロール紙の上部前寄り外周面に前記ホルダ後部に枢支した紙切板の前辺下面を圧接し、この圧接部を経たロール紙繰り出し部を紙切板の前辺刃先でカットできるロール紙ホルダを構成するに当たり、前記ホルダの左右各側体に後部開放のスライド溝を対向形成してこれら各溝に平面ほぼコ字状のスライダを前後スライド可能に係入し、前記スライド溝前辺とスライダ後部とにそれぞれ形成した段縁同士の対接係合でスライダの抜け止めを施し、かつ、スライダの後部段縁に弾接係合してスライダの後退使用位置を仮固定する係止弾片をホルダ後部に設ける一方、スライダの前部には前記ロール紙空心受けを上向き傾動後対向復帰可能に枢支すると共に、これら各空心受けで回転可能に支持したロール紙繰り出し部を紙切板前辺刃先でカット可能となしたことで達成できた。
【発明の効果】
【０００７】
本発明は、以上のような手段を採用したので、以下に記載の効果を奏する。
この発明における請求項１の発明によれば、前記スライド溝にその後部から係入したスライダは、前記スライド溝前辺とスライダ後部とにそれぞれ形成した段縁同士の対接係合で前向きの抜け止めを施せるから、使用に当たりロール紙ホルダからスライダが妄りに抜去しないので、安全かつ無造作に使用できるし、スライダの後退使用位置を仮固定する係止弾片の弾力に抗してスライダを手指で前方へ引き出した後、左右のロール紙空心受け間にその下側空所からロール紙を差し込みつつ上向きに移動させ、上記各空心受けをその復帰弾力でロール紙空心内に対向復帰係入させることで、ロール紙を左右のロール紙空心受けに回転可能に枢支セットでき、その後スライダをセット済のロール紙と共に上記係止弾片の弾力に抗して手指で後退させてその使用位置を確保できる。
【０００８】
したがって、本発明によるスライド式ロール紙ホルダは、上下の棚板間や壁面凹所などの上下間隔が狭いホルダ設置場所に埋め込み設置してもロール紙の枢支セットが容易にでき、スペース的に著しく有利になったという優れた効果が有るほかに、スライダをスライド溝に対して軽く動かせる程度に係入しても、前記スライダの後退使用位置を係止弾片で保持できるので、ロール紙の繰り出し時やそのカット時にスライダの無用な妄動を阻止できると共に、スライダは前述したように抜け止めを施したから、ロール紙ホルダからスライダが妄りに抜去せず、常に軽快に使用できるという優れた効果が有るし、本発明によるロール紙空心受けは、ホルダやスライダに対して前後に動かない構成だから、ロール紙の前方繰り出し時やそのカット時に上記空心受けはスライダと共に妄りに動かず、安定で使用勝手が良いという効果も有る。
【０００９】
また、本発明における請求項２の発明のように、前記ホルダの左右各側体に後部開放のスライド溝を前下がり傾斜で対向形成し、各スライド溝にスライダを係入してその抜け止めを施すと共に、後退使用位置を前述したように保持すれば、スライダの前下がり斜め引き出し後のスライダの上部に大きな空所ができ、ロール紙を空心受けにセットし易くなったという効果を付加でき、また本発明における請求項３の発明では、前記紙切板の上向き傾斜状態を保持する保持弾片を紙切板枢支部付近におけるホルダに設けたので、ロール紙の補充や芯管の取り除き時に紙切板が邪魔にならず、より一層便利に使用できると共に、保持弾片自体が目立たずスマートに構成できるという効果を付加できた。
【００１０】
本発明における請求項４の発明のように、前記スライダの後退使用位置を仮固定する係止弾片と紙切板の上向き傾斜状態を保持する保持弾片とを側面ほぼＳ字状に一体形成すれば、上記係止弾片と保持弾片とを同時にホルダ後部の所定位置に取着でき、その部品管理・組立製造・保守点検などのすべての面で扱い易く、価格的にも有利になったという効果を付加でき、さらに前記左右のロール紙空心受けをプラスチックで成形し、その対向復帰用ばねをロール紙空心受けの枢軸端に蔓巻きばね状に一体的に突設し、その端部を前記スライダに固定することで、上記ロール紙空心受けを素材固有の弾力で上向き傾動後対向復帰可能に簡素な構成で枢支でき、部品管理・組立製造・保守点検などのすべての面でより一層扱い易く、価格的にも有利になったという効果を付加できた。
【発明を実施するための最良の形態】
【００１１】
本発明の実施の形態のうち、先ず、本発明の基本的な形態例を説明する。
本発明の基本的な実施形態は、図１・図２のような平面ほぼコ字状にプラスチックなどで成形したロール紙ホルダ１における左右の中空側体２の対向面に後部開放のスライド溝３を上記各図のように対向形成すると共に、これら各溝３にその後部開放端３Ａから図２のようにプラスチックや金属を平面ほぼコ字状に成形して作ったスライダ４を図１・図３のように前後方向にスライド可能に係入すると共に、スライド溝３の前辺に図４のように形成した段縁Ｓに上記スライダ４の後部段縁Ｓ（図２参照）を図４のように係合当接させることで、スライダ４の引き出し寸法を制限し、抜去しないようにする。
【００１２】
次いで、上記スライダ４の前部にそれぞれ図２のように対向形成した凹部対向辺４Ａに形成した各枢支孔４Ｂにそれぞれプラスチックなどで成形した図２のような左右のロール紙空心受け５をそれぞれ前後の枢軸５Ａで上向き傾動可能に図１のように対向枢支すると共に、上記各枢軸５Ａの先端に図２のように一体突設した蔓巻き状復帰ばね５Ｂの先端をスライダ４の上記枢支孔４Ｂ付近に図５のように固定することで、これら各復帰ばね５Ｂの弾力に抗し左右のロール紙空心受け５を外力で図６のように上向き傾動させた後、この外力の解除により各空心受け５を上記各復帰ばね５Ｂの弾力で図１・図３のように互いに対向復帰可能にしておく。
【００１３】
そして、図１・図３のように引き出したスライダ４のロール紙空心受け５には、トイレットペーパなどのロール紙６または、ロール巻アルミホイールやフィルム・シート類をその芯管６Ａで、図１の鎖線および図４のように回転可能に枢支セットするのであるが、このセット例としては、各ロール紙空心受け５の自由端にロール紙６の側縁を図６のように宛がい、各空心受け５を前記復帰ばね５Ｂの復帰弾力に抗して上記図６のように上向きに傾動させつつ上昇させると、ロール紙芯管（または空心）６Ａの側縁に左右のロール紙空心受け５の先端が対向した時点で、これら各空心受け５をその復帰ばね５Ｂの弾力でロール紙芯管６Ａ内に図１・図３のように対向復帰して係入させることで、ロール紙６を左右のロール紙空心受け５に上記各図のように回転可能に枢支セットしておく。
【００１４】
さらに、図２のように前記左右の側体２の後部枢支孔２Ａにプラスチックなどで成形した紙切板７をその後部枢支部７Ａで図１・図６のように起伏回動可能に枢支し、その前辺下面７Ｂを前記枢支セット済ロール紙６の上部前寄り外周面に上記各図のように圧接させた後、スライダ４をロール紙６と共に上記スライド溝３に対する係合摩擦に抗して図３・図７のように奥方向に押し動かすことで、各図のようなロール紙の使用待機状態にでき、紙切板の前辺下面７Ｂを経て前方へ繰り出したロール紙６の繰り出し部Ｐを前記紙切板７の前辺に埋設した櫛歯状刃先などの紙切板前辺刃先８でカットできるように構成する。
【００１５】
次いで、スライダ４の後部段縁Ｓに係合してスライダ４の後退使用位置を図７のように仮固定するＶ字状斜面付きの係止弾片９Ａと、紙切板７の枢支部７Ａを経た後部突片７Ｃに係合して紙切板７の上向き傾斜状態を図４のように保持するへ字状斜面付きの保持弾片９Ｂとを図２のようにＳ字状に纏めて一体形成した複合弾片９をその中央部で止めねじＮによりホルダ側体２の後側中空部内に図１を初めとして上記各図のように取着することで、本発明によるスライド式ロール紙ホルダを構成できた。
【００１６】
ただし、上記各弾片９Ａ・９Ｂは、それぞれ弾性プラスチックなどで成形し、これら各弾片９Ａ・９Ｂの弾撥力は、それぞれ後退使用位置まで押し込んだスライダ４および上向き傾斜させた紙切板７が、それぞれ妄動しない程度に仮固定できる強度で、スライダ４および紙切板７をそれぞれ人の手指では所定位置まで動かせる程度の弾撥強度とする。
なお、図４・図６および図７における符号１０で示す部分は、上下の棚板空所や壁面凹所などの上下間隔が狭いロール紙ホルダ設置場所であり、その奥の直立面１０Ａにロール紙ホルダ１の後面板１Ａを図４のように止めねじＮで取着することで、ホルダ１を不動にできると共に、スライダ４の後退使用位置を規制できる。
【００１７】
本発明の構成は以上のようなもので、以下その使用動作例につき説明する。
ロール紙ホルダ１における左右のロール紙空心受け５にロール紙６をその芯管６Ａで図１のように枢支するには、先ずスライダ４を手指で前記スライド溝３に沿って図１・図４のように前記段縁Ｓ同士が当接する個所まで前方へ引き出した後、紙切板７を上向きに傾動させると、その枢支部７Ａを経た後部突片７Ｃに前記保持弾片９Ｂがへ字状斜面を経て図４のように係合し、紙切板７の上向き傾斜状態を仮固定して保持できる。
【００１８】
次いで、左右のロール紙空心受け５間にその下側空所からロール紙６を図６のように差し込みつつ、これら各空心受け５をその復帰ばね５Ｂの弾力に抗して同図のように上向きに傾動させ、ロール紙芯管６Ａの側縁に左右のロール紙空心受け５の先端が対向した時点で、これら各空心受け５をその復帰ばね５Ｂの弾力でロール紙芯管６Ａ内に図１・図５のように対向復帰係入させることで、ロール紙６を左右のロール紙空心受け５に回転可能に枢支セットでき、次いでスライダ４をセット済のロール紙６と共に上記スライド溝３に沿わせ図４の状態から図７のように奥方向に向け押し動かせば、スライダ４の後部段縁Ｓに係止弾片９Ａがその弾力で係合してスライダ４の後退使用位置を仮固定できから、ロール紙の繰り出し時やそのカット時にスライダの無用な妄動を阻止できる態勢となる。
【００１９】
その後、紙切板７を保持弾片９Ｂの弾力に抗して図３・図７のように閉じると、ロール紙の上部前寄り外周面に紙切板７の前辺下面７Ｂが自己重力やばねの弾力で圧接した状態となり、上記前辺下面７Ｂを経て前方へ繰り出したロール紙６の繰り出し部Ｐを図７の鎖線のように紙切板前辺刃先８に沿わせて上向き斜めに引っ張り上げることで、ロール紙６をそのカット部分Ｑで上記紙切板前辺刃先８によりカットして使用できる。
【００２０】
したがって、本発明によるスライド式ロール紙ホルダは、図４・図６・図７のような上下の棚板間や壁面凹所などの上下間隔が狭いホルダ設置場所１０に固定設置しても、図６のようにロール紙を枢支セットしたり、使用済芯管を容易に取り出せたり、図７のようにロール紙６をそのカット部分Ｑで上記紙切板前辺刃先８によりカットして使用できるから、ロール紙ホルダの設置スペースが高さ的に著しく有利になったし、ロール紙空心受け５は、スライダ４に対し前後には妄りに動かないので、ロール紙の前方繰り出し時やロール紙カット時に上記ロール紙空心受け５は妄動せず、安定で使用勝手が良い。
【００２１】
ロール紙６を使い終え、新しいロール紙６をホルダ１にセットする場合のように、前記後退使用位置にあるスライダ４を図１・図４のように前記段縁Ｓ同士が当接する個所まで前方へ再び引き出すに当たっては、スライダ４の後部段縁Ｓに係合している係止弾片９Ａが、そのＶ字状斜面を経て段縁Ｓの高さ分だけ弾力に抗して上向きに撓むので、後退使用位置にあるスライダ４を図１・図４のように前記段縁Ｓ同士が当接係合する位置までスムーズに引き出せる。
【００２２】
このようにスライダ４を前方へ引き出した後、前記紙切板７をその枢支部７Ａを支点とし、保持弾片９Ｂの弾力に抗して図４・図６のように上向き回動させ、この状態を保持弾片９Ｂて前記のように弾力的に仮固定することで、ロール紙ホルダ１をオープン状態にでき、使用済のロール紙芯管６Ａを前記ロール紙空心受け５から取り外し、新しいロール紙６を前記のようにロール紙空心受け５にその下側から枢支セットした後、スライダ４を枢支セット済のロール紙６と共に図４のように奥方向に押し動かして後退使用位置に係止弾片９Ａで前述したように定位し、紙切板７を保持弾片９Ｂの弾力に抗してロール紙の上部に被せれば、上記各図のようなロール紙の使用待機状態にできる。
【実施例】
【００２３】
前記ホルダ１の左右各側体２にスライド溝３を図８のように前下がり傾斜で対向形成してスライダ４を前述したように係入してその抜け止めを施すと共に、スライダ４をセット済のロール紙６と共に上記スライド溝３に沿わせ図４の状態から図７のように奥方向に向け押し動かせば、スライダ４の後部段縁Ｓに係止弾片９Ａがその弾力で係合してスライダ４の後退使用位置を仮固定できから、ロール紙の繰り出し時やそのカット時にスライダの無用な妄動を阻止できる一方、前下がり引き出し後のスライダ４の上部に大きな空所ができ、ロール紙６を左右の空心受け５に一層枢支セットし易くなったし、さらに、前述したようにスライダ４の後部段縁Ｓを前記スライド溝３とスライダ４とのそれぞれ前後における各対向部に設けることで、各段縁Ｓ自体が目立たずスマートに構成できる。
【産業上の利用可能性】
【００２４】
前記紙切板７は、その自重やばね部材でロール紙の前側上面に圧接するようにしてもよいが、紙切板７の枢支部付近をばね（周知のものでよいから図示せず）などの紙切板水平保持部材でロール紙ホルダ１の後部に連絡することで、上記紙切板７をほぼ水平を境として上下に弾力的に起伏するようにすると、紙切板７の上向き傾斜状態を仮固定する前記保持弾片９Ｂを用いなくても、ロール紙芯管６Ａの前記取り除きや、新しいロール紙のセットに当たり、紙切板７が邪魔にならず便利となった。
【００２５】
また、本発明によるスライド式ロール紙ホルダを全体的に縦向きにして上下の棚板間や壁面凹所などの左右間隔の狭い場所に固定設置しても、ロール紙を枢支セットしたり、使用済ロール紙の芯管を容易に取出せるので、本発明によるスライド式ロール紙ホルダは、縦向き設置タイプのスライド式ロール紙ホルダとしても利用できる。
【図面の簡単な説明】
【００２６】
【図１】本発明の実施形態例を示す一部切欠斜視図
【図２】図１に示すものの分解斜視図
【図３】図１に示すものと状態を異にした斜視図
【図４】図３に示すものの使用例を示す縦断側面図
【図５】本発明要部の横断平面図
【図６】本発明によるロール紙のセット途中を示す斜視図
【図７】図４に示すものの使用状態の例を示す縦断側面図
【図８】本発明の他の実施形態例を示す縦断側面図
【符号の説明】
【００２７】
１…ロール紙ホルダ  １Ａ…ホルダ後面板
２…ホルダ側体  ２Ａ…枢支孔
３…スライド溝  ３Ａ…後部開放端
４…スライダ  ４Ａ…凹部対向辺  ４Ｂ…枢支孔
５…ロール紙空心受け  ５Ａ…枢軸  ５Ｂ…復帰ばね
６…ロール紙  ６Ａ…ロール紙芯管
７…紙切板  ７Ａ…枢支部  ７Ｂ…前辺下面  ７Ｃ…後部突片
８…紙切板前辺刃先  ９Ａ…係止弾片  ９Ｂ…保持弾片
１０…ロール紙ホルダの設置場所
Ｐ…ロール紙繰り出し部  Ｑ…ロール紙カット部  Ｓ…段縁
【図１】
2005287552.tif 000003
【図２】
2005287552.tif 000004
【図３】
2005287552.tif 000005
【図４】
2005287552.tif 000006
【図５】
2005287552.tif 000007
【図６】
2005287552.tif 000008
【図７】
2005287552.tif 000009
【図８】
2005287552.tif 000010